(57)【要約】【課題】ハウジングの内部に電動のモータが装置される電動工具において、ハウジングの内部に配線される電線の中間部分に設けられる電線中間電気構造に関しての防水防塵機能を高める。【解決手段】コネクタ７１を配置させておくための配置部位７１０には、区画部７５が設けられている。区画部７５は、グリップハウジング部２５の内部に設けられている。この区画部７５は、区画壁部７６と隔離部材８５とを有し、グリップハウジング部２５の内部とコネクタ７１の配置部位７１０とを区画する。区画壁部７６は、グリップハウジング部２５と一体に成形されて設けられている。また、リード線が引き出される下側には、グリップハウジング部２５により支持される隔離部材８５をなす閉塞部材８７により閉じた状態にする。【選択図】図４
2015036167.tif 000002
【特許請求の範囲】
【請求項１】
モータと、
前記モータを収容するハウジングと、
前記ハウジングの内部に配線される電線に対して設けられる電線中間電気構造と、を有し、
前記ハウジングの内部には、前記電線中間電気構造を配置させておくための配置部位が設定されており、
前記配置部位には、前記電線中間電気構造の周囲のうち前記電線が引き出される方向以外の５方向に、前記ハウジングの内部と該配置部位とを区画する区画部が設けられている、ことを特徴とする電動工具。
【請求項２】
請求項１に記載の電動工具において、
前記区画部は、前記ハウジングと一体に成形されて設けられている、ことを特徴とする電動工具。
【請求項３】
請求項１または請求項２に記載の電動工具において、
加工される材の配置方向が加工具装着側となる工具前側に設定されており、
前記電線が引き出される方向がバッテリ装着側となる工具下側に設定されており、
前記区画部は、工具上側と工具前側と工具後側とで面して前記ハウジングの内部を隔てる壁構造が設けられている、ことを特徴とする電動工具。
【請求項４】
請求項１から請求項３のいずれかに記載の電動工具において、
前記電線中間電気構造の周囲のうち少なくとも前記電線が引き出される箇所には、前記区画部と接して前記配置部位を閉塞空間とするシール部材が設けられている、ことを特徴とする電動工具。
【請求項５】
モータと、
前記モータを収容するハウジングと、
前記ハウジングの内部に配線される電線に対して設けられる電線中間電気構造と、
前記電線中間構造に接続される前記電線の外周を覆うように設けられる弾性部材と、を有し、
前記ハウジングは、二つに分割された第一分割ハウジングと第二分割ハウジングとを合体させることによりハウジング構造をなし、
前記弾性部材は、前記第一分割ハウジングと前記第二分割ハウジングとにより支持される、ことを特徴とする電動工具。
【請求項６】
モータと、
二つに分割された第一分割ハウジングと第二分割ハウジングとを合体させることにより前記モータを収容するハウジング構造をなすハウジングと、
前記第一分割ハウジングと前記第二分割ハウジングとのいずれか一方に設けられる区画部と、
前記第一分割ハウジングと前記第二分割ハウジングとのいずれか他方に設けられるシール部材と、を有し、
前記シール部材は、前記区画部に対して接触可能に形成されている、ことを特徴とする電動工具。
【請求項７】
ブラシレスモータと、
前記ブラシレスモータを制御するマイクロコンピュータが搭載される制御基板と、
前記制御基板に接続される第一の電線と、
電力供給側のターミナルに接続される第二の電線と、
前記第一の電線と前記第二の電線とに接続される電線中間電気構造と、を有し、
前記電線中間電気構造の外部側には、該電線中間電気構造の内部側への異物浸入を規制する浸入規制部材が設けられている、ことを特徴とする電動工具。
【発明の詳細な説明】
【技術分野】
【０００１】
本発明は、ハウジングの内部に電動のモータが装置される電動工具に関する。
【背景技術】
【０００２】
従来、電動工具は、外装をなすハウジングの内部に電動のモータが装置される（例えば特許文献１参照）。このモータは、この電動工具の駆動源として機能する。このため、この電動工具には、モータを駆動させるための電力が供給されるようになっている。ここで、この電力は、装着された充電式バッテリから供給されたり、コンセントで接続された家庭用ＡＣ電源から供給されたりする。このため、ハウジングの内部には、モータに対して電力を供給するための電線が配線されている。この電線は、電力を供給可能に電気的に接続するものである。この電線の中間部分には、分断可能に電気的な接続をするコネクタや、供給電圧を安定させるコンデンサ等の電気部品が設けられることがある。なお、このような電線に対して設けられるコネクタやコンデンサ等の電気部品についてを、以下『電線中間電気構造』と総称することとする。
【先行技術文献】
【特許文献】
【０００３】
【特許文献１】特開２０１２−２５４５２６号公報
【発明の概要】
【発明が解決しようとする課題】
【０００４】
ところで、上記した電動工具にあっては、品質向上の観点から水や粉塵が浸入を防ぐ機能（以下、『防水防塵機能』と称する）を高めておきたい。このような観点で電動工具を見ると、上記した電線中間電気構造の配設部位についての防水防塵機能を高めるような工夫を施すことが求められている。
【０００５】
本発明は、このような事情に鑑みなされたものであって、本発明が解決しようとする課題は、ハウジングの内部に電動のモータが装置される電動工具において、ハウジングの内部に配線される電線の中間部分に設けられる電線中間電気構造に関しての防水防塵機能を高めることにある。
【課題を解決するための手段】
【０００６】
上記した課題を解決するにあたって、本発明に係る電動工具は次の手段をとる。
すなわち、本発明の第１の発明に係る電動工具は、モータと、前記モータを収容するハウジングと、前記ハウジングの内部に配線される電線に対して設けられる電線中間電気構造と、を有し、前記ハウジングの内部には、前記電線中間電気構造を配置させておくための配置部位が設定されており、前記配置部位には、前記電線中間電気構造の周囲のうち前記電線が引き出される方向以外の５方向に、前記ハウジングの内部と該配置部位とを区画する区画部が設けられている、ことを特徴とする。
この第１の発明に係る電動工具によれば、区画部がハウジングの内部と配置部位とを区画するので、電線中間電気構造の周囲のうち電線が引き出される方向以外の５方向を閉塞する。これによって、電線の中間部分の電線中間電気構造に対しての水や粉塵の浸入を抑えることができる。したがって、このハウジングの内部に配設される電線中間電気構造に関しての防水防塵機能を高めることができる。
また、第２の発明に係る電動工具は、前記第１の発明に係る電動工具において、前記区画部は、前記ハウジングと一体に成形されて設けられている、ことを特徴とする。
また、第３の発明に係る電動工具は、前記第１または前記第２の発明に係る電動工具において、加工される材の配置方向が加工具装着側となる工具前側に設定されており、前記電線が引き出される方向がバッテリ装着側となる工具下側に設定されており、前記区画部は、工具上側と工具前側と工具後側とで面して前記ハウジングの内部を隔てる壁構造が設けられている、ことを特徴とする。
また、第４の発明に係る電動工具は、前記第１から前記第３のいずれかの発明に係る電動工具において、前記電線中間電気構造の周囲のうち少なくとも前記電線が引き出される箇所には、前記区画部と接して前記配置部位を閉塞空間とするシール部材が設けられている、ことを特徴とする。
【０００７】
また、第５の発明に係る電動工具は、モータと、前記モータを収容するハウジングと、前記ハウジングの内部に配線される電線に対して設けられる電線中間電気構造と、前記電線中間構造に接続される前記電線の外周を覆うように設けられる弾性部材と、を有し、前記ハウジングは、二つに分割された第一分割ハウジングと第二分割ハウジングとを合体させることによりハウジング構造をなし、前記弾性部材は、前記第一分割ハウジングと前記第二分割ハウジングとにより支持される、ことを特徴とする。
また、第６の発明に係る電動工具は、モータと、二つに分割された第一分割ハウジングと第二分割ハウジングとを合体させることにより前記モータを収容するハウジング構造をなすハウジングと、前記第一分割ハウジングと前記第二分割ハウジングとのいずれか一方に設けられる区画部と、前記第一分割ハウジングと前記第二分割ハウジングとのいずれか他方に設けられるシール部材と、を有し、前記シール部材は、前記区画部に対して接触可能に形成されている、ことを特徴とする。
また、第７の発明に係る電動工具は、ブラシレスモータと、前記ブラシレスモータを制御するマイクロコンピュータが搭載される制御基板と、前記制御基板に接続される第一の電線と、電力供給側のターミナルに接続される第二の電線と、前記第一の電線と前記第二の電線とに接続される電線中間電気構造と、を有し、前記電線中間電気構造の外部側には、該電線中間電気構造の内部側への異物浸入を規制する浸入規制部材が設けられている、ことを特徴とする。
【図面の簡単な説明】
【０００８】
【図１】第１の実施の形態のインパクトドライバの右側半割断面を示す断面図である。
【図２】図１のインパクトドライバの左側半割断面を示す断面図である。
【図３】図２のコネクタを除いた区画壁構造を示す断面図である。
【図４】図２の(IV)-(IV)断面矢視を示す断面図である。
【図５】図２の(V)-(V)断面矢視を示す断面図である。
【図６】図２の(VI)-(VI)断面矢視を示す断面図である。
【図７】第２の実施の形態のインパクトドライバの右側半割断面を示す断面図である。
【図８】図７のインパクトドライバの左側半割断面を示す断面図である。
【図９】図７のコネクタを除いた区画壁構造を示す断面図である。
【図１０】図８の(X)-(X)断面矢視を示す断面図である。
【図１１】図８の(XI)-(XI)断面矢視を示す断面図である。
【図１２】図８の(XII)-(XII)断面矢視を示す断面図である。
【図１３】図８の(XIII)-(XIII)断面矢視を示す断面図である。
【発明を実施するための形態】
【０００９】
［第１の実施の形態］
以下、本発明に係る電動工具を実施するための第１の実施の形態について説明する。図１〜図６に示すインパクトドライバ１０は、本発明に係る電動工具に相当する。図１〜図６は、第１の実施の形態のインパクトドライバ１０に関しての断面を示している。具体的には、図１の断面図は、インパクトドライバ１０の右側半割断面を示している。図２の断面図は、図１のインパクトドライバ１０の左側半割断面を示している。図３の断面図は、図２のコネクタ７１等を除いた区画壁構造を示している。図４の断面図は、図２の(IV)-(IV)断面矢視を示している。図５の断面図は、図２の(V)-(V)断面矢視を示している。図６の断面図は、図２の(VI)-(VI)断面矢視を示している。
なお、以下に説明するにあたって、このインパクトドライバ１０は、通常の使用態様に鑑みて、インパクトドライバ１０に関しての前後上下左右を規定している。すなわち、全図に記載の通りの方向で、このインパクトドライバ１０の前後上下左右の向きは規定されている。すなわち、このインパクトドライバ１０の通常の使用態様としては、ピストルを握るかのように握った状態である。このため、このような握り状態を鑑みてインパクトドライバ１０の上下左右の向きを規定している。具体的に言えば、加工される材（被加工材）が配置される方向がインパクトドライバ１０の前側（工具前側）として規定される。また、この逆側がインパクトドライバ１０の後側として規定される。また、バッテリ装着側となる向きが工具下側として規定されており、この工具下側の逆側がインパクトドライバ１０の上側として規定される。
【００１０】
図１〜図３に示するように、インパクトドライバ１０は電源として充電式バッテリ９５が装着される電動工具であり、工具本体１００の下部に充電式バッテリ９５が装着されている。なお、図示符号９９は、紐状の引掛け具である。この引掛け具９９は、このインパクトドライバ１０を引掛けて保管できるようにする。また、このインパクトドライバ１０の使用時には、使用者の手（腕）を引掛け具９９の輪状部分に通した状態でグリップ部６０を手握りすることもできる。
工具本体１００は、充電式バッテリ９５を装着した状態でピストルを模した格好で加工作業できるように構成される。工具本体１００は、上から大まかに、駆動出力部３０と、グリップ部６０と、バッテリ装着部９０とを備える。
駆動出力部３０は、概略、電動モータ部３１と駆動変換機構４１とを備える。電動モータ部３１は、外装ハウジング２０の一部であるモータハウジング部２１に収容されている。このモータハウジング部２１を有する外装ハウジング２０は、左右で半割りの左側ハウジング２０１と右側ハウジング２０５とを合体させて螺子留めする構造となっている。この螺子留めは、図２等で示すように、モータハウジング部２１では４点の螺子留め部２８にて螺子固定されており、グリップハウジング部２５でも４点の螺子留め部２９にて螺子固定されている。なお、左側ハウジング２０１は、本発明に係る二つに分割された第一分割ハウジングに相当し、右側ハウジング２０５は、本発明に係る二つに分割された第二分割ハウジングに相当する。
また、モータハウジング部２１の前側には前側カバー３７が取り付けられている。この前側カバー３７は、樹脂材料の成形部材であり、後に説明する駆動変換機構４１の前側ギヤケース４２１の外周を被覆するように設けられている。また、モータハウジング部２１の後側には後側キャップ３８が、左螺旋で左側ハウジング２０１に右螺旋で右側ハウジング２０５にそれぞれ取り付けられている。この後側キャップ３８も、樹脂材料の成形部材であり、電動モータ３２の後側を覆うように設けられている。なお、この後側キャップ３８は、モータ軸３５の後端部分を支持する後側ベアリング３６２を支持する。また、この後側キャップ３８は、図示省略したが、電動モータ部３１に向けて外気を排気可能とする排気孔が設けられている。
【００１１】
電動モータ部３１は、使用者の操作に応じて回転駆動する電動モータ３２を備える。電動モータ３２は、ブラシレスモータで構成される。この電動モータ３２は、本発明に係るモータに相当し、供給される電力を回転駆動力に変換する。すなわち、電動モータ３２は、通常のブラシレスモータとと同様、概略、固定子３３と、回転子３４と、モータ軸３５とを備える。固定子３３は、いわゆる３層モータのステータとして構成され、モータハウジング部２１により支持されている。固定子３３は、後に説明するコントローラからの電力制御によって磁性が切り換わるようになっている。回転子３４は、回転軸をなすモータ軸３５に支持されて固定子３３に対して相対的に回転する。回転子３４は、永久磁石を有して構成される。モータ軸３５は、前後がベアリング３６１，３６２により回転可能に支持されている。前側ベアリング３６１は、ベアリングボックス４２２に組み込まれている。このため、前側ベアリング３６１は、モータハウジング部２１により支持されるベアリングボックス４２２の一部としてモータハウジング部２１に支持される。後側ベアリング３６２は、後側キャップ３８により支持される。モータ軸３５には、冷却ファン３６が取り付けられている。冷却ファン３６は、モータ軸３５と一体に回転して、モータハウジング部２１の側面に配置される図示していない吸気孔から外気を吸気した後に、後側キャップ３８に設けられた図示していない排気孔から排気する。なお、この電動モータ部３１は、モータ回路基板３９にて回転子３４の回転が制御されている。すなわちモータ回路基板３９には、回転子３４の永久磁石により出力する不図示の出力センサが設けられている。このモータ回路基板３９に設けられる出力センサには、図示省略の出力用リード線５本が接続されている。また、このモータ回路基板３９には、図示省略の固定子３３に給電する給電用コード３本が接続されている。
電動モータ部３１の前側には駆動変換機構４１が設けられている。駆動変換機構４１は、ギヤケース４２（前側ギヤケース４２１，ベアリングボックス４２２）に減速機構４３と打撃機構５１とを内装することにより構成される。この駆動変換機構４１は、電動モータ３２からの回転駆動力を前側に突き出されるアンビル５７に伝達する。減速機構４３は、遊星歯車機構にて構成される。すなわち、上記したモータ軸３５からの回転駆動を受けて太陽歯車４４が回転し、この太陽歯車４４の外周で太陽歯車４４に噛合される遊星歯車列４５も回転する。この遊星歯車列４５は、さらに外周のインターナルギヤ４６と噛合している。このため、太陽歯車４４が回転すると、噛合する遊星歯車列４５も回転することとなる。これにより、回転子３４の回転が減速され、中間軸５２が回転する。このようにして、電動モータ３２からの回転駆動を、減速した回転駆動にして次に説明する打撃機構５１に伝達する。
【００１２】
打撃機構５１は、概略、中間軸５２と、付勢スプリング５３と、ハンマ５４とを備える。中間軸５２は、上記したインターナルギヤ４６と一体回転するようになっており、ベアリングボックス４２２に設けられるベアリング５９にて回転可能に支持される。付勢スプリング５３は、ハンマ５４を前側に向けて付勢する。ハンマ５４は、アンビル５７と一体化される打撃片５５を打撃する。なお、図示符号５６は、ニードルベアリングである。このアンビル５７には、螺子締め用のドライバビットＢを装着可能なチャック機構を有して構成される。ドライバビットＢは、本発明に係る加工具に相当する。このように構成される打撃機構５１は、ドライバビットＢを介してアンビル５７に設定トルク以上の外部トルク（螺子締め抵抗）が螺子締め回転時に受けることとなると、中間軸５２に対してハンマ５４は軸方向で前進後退して回転する。そうすると、ハンマ５４は、打撃片５５を回転方向で打撃するようになり、この打撃片５５と一体化されるアンビル５７に大きなねじ締めトルクを出力させる。なお、ベアリングボックス４２２は、このベアリング５９のほか、上記した前側ベアリング３６１も組み込まれている。また、電動モータ３２とベアリングボックス４２２との間のモータ軸３５の上下位置にて螺子留め部２８により螺子留めされている。なお、前側ギヤケース４２１の前端からは、出力軸となるアンビル５７が前側に向けて突出されている。この前側ギヤケース４２１は、本発明に係るフロントケースに相当するとともに、本発明に係るハンマーケースにも相当する。また、アンビル５７は、本発明に係る出力軸に相当する。また、上記したアンビル５７の下側には、ＬＥＤ（light emitting diode）照射装置５８が設けられている。このＬＥＤ照射装置５８は、ドライバビットＢ等により螺子締め作業する際の螺子締め箇所を照らし出す。
【００１３】
上記したように構成された駆動出力部３０の下側には、グリップ部６０が設けられている。このグリップ部６０は、外装ハウジング２０の一部であるグリップハウジング部２５により形成される。このグリップハウジング部２５は、上記したモータハウジング部２１と一体に成形され、外装ハウジング２０をなす。このグリップハウジング部２５は、ハンドルハウジングとも称され、使用者にとって手で握った状態での操作がし易くなるようにピストルのグリップを模して形成されている。具体的には、グリップハウジング部２５は、モータ軸３５に対して略直交する方向に延びるグリップ形状を有して形成されている。このグリップハウジング部２５は、グリップ状にモータハウジング部２１の下部から更に下側に延びて形成される。なお、グリップ部６０の下部には、野球バットのグリップエンドのような形状のバッテリ装着部９０が設けられている。このバッテリ装着部９０は、グリップ部６０の前後左右断面が更に前後左右方向に拡がるように形成されている。このバッテリ装着部９０には、充電式バッテリ９５が装着される。この充電式バッテリ９５は、電動工具の共通化された充電式の電源として利用されるものであり、スライドさせて装着させたりスライドさせて取り外したりする。このため、バッテリ装着部９０は、スライド形式の着脱に対応して構成される。なお、この充電式バッテリ９５は、充電された電力量が所定の電力量より少なくなると工具本体から取り外され、専用の充電器にて充電されて再び工具本体に装着されて電源として利用される。つまり、充電式バッテリ９５としては、例えば２０１２年４月発行マキタ総合カタログにおける『ＢＬ１４３０』の製品等が挙げられ、装着される電動工具としては、ドライバ、レンチ、ドリル、レシプロソー、チェーンソー、バンドソー、ジグソー、マルノコ、グラインダ、タッカ等の、適宜の電力駆動の電動工具が挙げられる。
【００１４】
図２等に示すように、上記した駆動出力部３０の下側には、駆動スイッチ６５が設けられている。この駆動スイッチ６５は、グリップ部６０の上部に設けられており、概略、スイッチ本体６６と、操作トリガ６７と、回転方向切替ボタン６８とを備える。スイッチ本体６６は、グリップハウジング部２５の内部に装置されている。このスイッチ本体６６は、操作トリガ６７および回転方向切替ボタン６８からの操作入力に応じて、後に説明するコントローラ１５に入力信号を送信する。操作トリガ６７は、グリップ部６０に対して略後方向へと押込み可能に設けられている。また、回転方向切替ボタン６８は、グリップ部６０に対して左右方向でスライド可能に設けられている。なお、回転方向切替ボタン６８は、右側から押され左側位置に配置されている場合には順回し（右回転）の操作入力を行うものとなっており、左側から押され右側位置に配置されている場合には逆回し（左回転）の操作入力を行うものとなっている。操作トリガ６７は、使用者がグリップ部６０を手握りした状態で指で引き操作ができるように構成されている。なお、コントローラ１５は、スイッチ本体６６からの入力信号に基づいて電動モータ３２に電力を供給するように制御する。なお、この電動モータ３２へは、バッテリ装着部９０に装着された充電式バッテリ９５からの電力が供給される。なお、上記したスイッチ本体６６の下側には、左側ハウジング２０１と右側ハウジング２０５との合体状態を保持する螺子留め部２９が２点設けられている。このように螺子留めされる左側ハウジング２０１と右側ハウジング２０５とは、外装ハウジング２０の一部となるグリップハウジング部２５をなす。
このように上部に駆動スイッチ６５が設けられるグリップ部６０は、中間部と下部とが手握り可能なグリップ形状にて形成されている。このグリップ部６０の中間部と下部とには、次に説明するコントローラ１５とを接続するための配線構造７０が設けられる。この配線構造７０については、次のコントローラ１５の説明の後に説明する。
【００１５】
コントローラ１５は、上記した電動モータ３２の駆動制御を行う。このコントローラ１５は、バッテリ装着部９０の上部に設けられている。バッテリ装着部９０は、下側に向かう下面部位に、充電式バッテリ９５が装着される装着部９１が設けられている。この装着部９１には、充電式バッテリ９５を前から後にスライドさせることにより装着されるように構成されている。逆に言えば、バッテリ装着部９０は、装着された充電式バッテリ９５を後から前にスライドさせることにより、装着された充電式バッテリ９５をバッテリ装着部９０から取り外すことができる。このため、詳しい説明は省略するが、装着部９１には、スライド装着させる構造と、装着した際に充電式バッテリ９５が電気的に接続される構造とが、設けられている。
この装着部９１の上側に、コントローラ１５が固定保持される。コントローラ１５は、上記した電動モータ３２の回転駆動を制御するものであり、適宜の制御基板等が内装される制御部品として構成される。なお、この制御基板には、上記したブラシレスモータをなす電動モータ３２を制御するマイクロコンピュータが搭載される。このコントローラ１５は、外装が矩形で形成された一体の部品として構成されている。このコントローラ１５は、図示省略しているが、上記した装着部９１に装着された充電式バッテリ９５と電気的に接続されるように配線されている。また、このコントローラ１５は、次に詳述する配線構造７０を介して、通信用のターミナル１７に電気的に接続されている。なお、この通信用のターミナル１７は、充電式バッテリ９５が装着部９１にスライド装着されている場合に、この充電式バッテリ９５に設けられる複数の信号用の端子（図示省略）が接続されるターミナル構造をなす。このように接続された通信用のターミナル１７は、充電式バッテリ９５の電池温度等の電池情報に関する信号を、コントローラ１５に向けて第２リード線７２２を介して送信する。
【００１６】
配線構造７０は、コントローラ１５、電動モータ３２、駆動スイッチ６５等を、電気的に接続する構造を有する。この配線構造７０は、上記した２点の螺子留め部２９の下側のグリップハウジング部２５の内部に設けられる。なお、図示符号「Ｌ」は、本発明に係る電線に相当するリード線である。なお、このリード線Ｌは、図面を分かり易くするために一部のみが図示されるものとなっている。また、この配線構造７０をなすコネクタ７１は、本発明に係る電線中間電気構造に相当する。この配線構造７０は、グリップハウジング部２５の内部に配置されるリード線Ｌに対して設けられる。すなわち、配線構造７０は、上記したように電気的に接続するリード線Ｌと、このリード線Ｌに対して設けられる電気構造とにより構成される。この実施の形態では、電気構造としては、２つに分離するリード線Ｌの端部同士を接続するコネクタ７１が設けられている。なお、この電気構造は、このようなコネクタ７１に限定されることなく、コントローラ等の制御部品や駆動スイッチ等の操作部品等の、適宜の電気部品が設けられるものであってよい。
コネクタ７１は、リード線Ｌの端部を電気的に接続可能に構成される。このコネクタ７１は、通常どおりコネクタと同様、樹脂製の雌コネクタ７３と雄コネクタ７４とを有している。雌コネクタ７３は、コントローラ１５に接続される第１リード線７２１の端部に対して設けられる。雄コネクタ７４は、通信用のターミナル１７に接続される第２リード線７２２に対して設けられる。具体的には、雌コネクタ７３は、雄コネクタ７４を嵌め込み可能な雌嵌合部７３１を有しつつ、フック掛止させる雌フック部７３２を有する。雄コネクタ７４は、雌嵌合部７３１に嵌め込み可能な雄嵌合部７４１を有しつつ、フックを掛止させる雄フック部７４２を有する。なお、この第１リード線７２１は、本発明に係る第一の電線に相当し、制御基板を備えるコントローラ１５に接続されている。また、この第２リード線７２２は、本発明に係る第二の電線に相当し、電力供給側の通信用のターミナル１７に接続されている。このようにコネクタ７１は、この第１リード線７２１と第２リード線７２２とを接続する電線中間電気構造として構成される。つまり、コネクタ７１は、通信用のターミナル１７からの信号をコントローラ１５に送信するにあたって、分離可能に接続する。なお、このコネクタ７１は、通信用のターミナル１７のみが破損した場合に、コントローラ１５と分離して通信用のターミナル１７を安価に取り替えるようにすることにある。このため、通信用のターミナル１７を交換する際は、コントローラ１５は工具本体１００に内装したままで、雄コネクタ７４を雌コネクタ７３から分離して破損して通信用のターミナル１７のみを工具本体１００から取り外す。次いで、新しい通信用のターミナル１７を工具本体１００に内装させつつ、接続されていた雌コネクタ７３に新しい雄コネクタ７４を接続する。このようにコネクタ７１を介して接続するようになっていると、第１リード線７２１を含むコントローラ１５に関して手を加えることなく、安価に通信用のターミナル１７のみを交換することができる。つまり、このコネクタ７１は、信号を送信するリード線Ｌの中間接続箇所となる。なお、この信号は、電流として微弱であるため、誤作動防止の観点からも信号の短絡防止をより高めておきたい。
【００１７】
このようにコネクタ７１を配置させておくための配置部位７１０には、区画部７５が設けられている。この区画部７５は、グリップハウジング部２５の内部に設けられている。この区画部７５は、本発明に係る浸入規制部材に相当し、上記したコネクタ７１の外部側に設けられる。つまり、この区画部７５は、コネクタ７１を配置させておくための配置部位７１０と、そのほかのグリップハウジング部２５の内部の部位とを区画する。つまり、区画部７５は、コネクタ７１の内部側への異物浸入を規制するように、コネクタ７１の周囲を囲うように構成される。区画部７５は、概略、区画壁部７６と、隔離部材８５とを有する。区画壁部７６は、グリップハウジング部２５と一体に成形されて設けられている。
以下、これら区画壁部７６と隔離部材８５とについて詳述する。なお、上記したグリップハウジング部２５の外周面には、被覆グリップ２６が設けられている。この被覆グリップ２６は、エラストマーを材料として成形される。この被覆グリップ２６は、適宜の段差外周面を有して形成され、手握りした際のグリップ性能が確保されている。
区画壁部７６は、図３〜図６に示すように、グリップハウジング部２５の内部に突き出される壁構造をなしている。この区画壁部７６は、このグリップハウジング部２５の内部を隔てる作用を有する。詳しくは、区画壁部７６は、グリップハウジング部２５の内部と、コネクタ７１が配置される配置部位７１０とを区画する。この区画壁部７６を含むグリップハウジング部２５は、コネクタ７１の周囲となる前後上下左右の６方向のうち、下側を除く前後上左右の５方向においてグリップハウジング部２５の内部を隔てるように作用する。つまり、この区画部７５により区画された配置部位７１０に配置されるコネクタのリード線Ｌの二つともは、下側に向けて引き出されるように設定されている。つまり、区画壁部７６は、リード線Ｌを引き出すことができるように下側が開口されて形成されている。
【００１８】
具体的には、区画壁部７６は、グリップハウジング部２５のうち右側ハウジング２０５に対して設けられている。この区画壁部７６は、上側壁部７７と、前側壁部７８と、後側壁部７９とにより形成される。上側壁部７７は、配置部位７１０の上側部分を区画するように、配置部位７１０に対して相対的に上側に形成されている。図３に示す上側壁部７７は、側面視略へ字をなすように配設方向が曲げられた壁形状をなしている。このように配設形状が曲げられた上側壁部７７は、リード線Ｌを配線するためのスペースを確保するのに有利となる上、そのほかの電気部品を配置するのにも有利となる。これに対して、前側壁部７８と後側壁部７９とは、互いに平行配置されるような面一の壁形状をなしている。前側壁部７８は、配置部位７１０の前側部分を区画するように、配置部位７１０に対して相対的に前側に形成されている。後側壁部７９は、配置部位７１０の後側部分を区画するように、配置部位７１０に対して相対的に後側に形成されている。これら前側壁部７８と後側壁部７９とは、互いに平行となるように形成されているので、コネクタ７１を収容可能なスペースを確保しつつも嵩張り過ぎないようになっている。なお、これら上側壁部７７と前側壁部７８と後側壁部７９とは、配置部位７１０のうち下側を除く部分を覆い囲うように連接されている。また、この配置部位７１０の右側範囲は、右側ハウジング２０５自体が隔壁のように機能することにより配置部位７１０を区画するようになっている。また、この配置部位７１０の左側範囲は、後に詳述する隔離部材８５により配置部位７１０を区画するようになっている。
【００１９】
図３に示すように、前側壁部７８と後側壁部７９とには、互いに向き合う方向で突き出されるリブ８０が設けられている。このリブ８０は、上から順に、コネクタ支持リブ８１、上側保持リブ８２、下側保持リブ８３として、設けられている。コネクタ支持リブ８１は、前側壁部７８と後側壁部７９とからコネクタ７１を挟み込むように突き出されている。このコネクタ支持リブ８１は、コネクタ７１を支持するようにコネクタ７１に対して当接可能なまでに突き出されている。また、上側保持リブ８２および下側保持リブ８３は、次に説明する隔離部材８５を支持するように突き出されている。なお、これらのコネクタ支持リブ８１、上側保持リブ８２、下側保持リブ８３は、区画壁部７６としての剛性も高める。これら上側保持リブ８２および下側保持リブ８３は、区画壁部７６の開口面積を減らすように内部に突き出されて、隔離部材８５の配置状態を保持することができる。言い換えれば、隔離部材８５は、これら上側保持リブ８２および下側保持リブ８３により上下方向で挟み込まれることにより、グリップハウジング部２５の内部で配置保持される。
隔離部材８５は、コネクタ７１の周囲となる区画壁部７６の周辺に配置される部材として形成される。この隔離部材８５は、弾性を有した材料により成形されている。このため、隔離部材８５は、弾性変形可能な程度の軟質な性質を有している。また、この隔離部材８５は、弾性変形することにより密着可能なシール部材として機能を有するようになっている。つまり、隔離部材８５は、本発明に係るシール部材に相当するとともに本発明に係る弾性部材に相当し、次に詳述するように主としてリード線Ｌが引き出される箇所に設けられる。この隔離部材８５は、区画壁部７６と接して配置部位７１０を閉塞空間とする。
隔離部材８５は、概略、主として区画壁部７６と左側ハウジング２０１との間に生ずる間隙を埋めるように配置される介在部材８６と、リード線Ｌを引き出すための開口部分を塞ぐように配置される閉塞部材８７との、２種類により構成される。なお、この実施の形態の介在部材８６は、次に詳述するが、区画壁部７６と左側ハウジング２０１との間に生ずる隙間を埋める機能のほか、リード線Ｌを引き出すための開口部分を塞ぐ機能も有している。
【００２０】
介在部材８６は、図４に示すように、前後方向に沿って見た場合に略Ｌ字形をなしている。すなわち、介在部材８６は、略上下方向に延びる介在部８６１と、この介在部８６１の下部で連接され略左右方向に延びる閉塞部８６５と、を有する。この介在部８６１と閉塞部８６５とは、軟質の弾性樹脂材料により一体成形されることにより一体部品にて形成される。介在部８６１の図示左側に設定される外周部８６２は、左側ハウジング２０１の内周面２０２と密着して支持されるように形成されている。これに対して、介在部８６１の図示右側に設定される内周部８６３は、区画壁部７６の左側端７７１，７８１，７９１が当接されるように形成される。これら左側端７７１，７８１，７９１のそれぞれは、上記した上側壁部７７、前側壁部７８、後側壁部７９における左側端をなしている。この左側端７７１，７８１，７９１のそれぞれは、図４〜図６に示すように、介在部材８６の介在部８６１に対して減り込むように当接する。このため、介在部材８６は、区画壁部７６の減り込まれる当接により左側ハウジング２０１の内周面２０２に向けて押圧される。このように押圧される介在部材８６の外周部８６２は、左側ハウジング２０１の内周面２０２に密着して左側ハウジング２０１から支持されるようになる。このようにして、区画壁部７６は、介在部材８６の介在部８６１への当接によりコネクタ７１の配置部位７１０の上側前側後側の範囲を閉塞する。なお、配置部位７１０の下側の範囲は、この区画壁部７６によって区画されないものとなっており、コネクタ７１から引き出されるリード線Ｌが配置される箇所として設定されている。なお、この本発明に係るシール部材に相当する介在部材８６は、左側ハウジング２０１と右側ハウジング２０５との挟み込みにより支持されるものとなっていた。しかしながら、この介在部材８６の支持は、左側ハウジング２０１に対して適宜に設けられるリブにより支持されたり、左側ハウジング２０１に対して貼着されて支持されたりするものであってもよい。
【００２１】
また、上記した介在部材８６の下部には、右側に突き出されるように形成される閉塞部８６５が設けられている。この閉塞部８６５は、この介在部材８６を配置部位７１０に沿って配置させた場合に、右側に隣接して配置される閉塞部材８７と当接する。つまり、この閉塞部８６５の右側端面は、閉塞部材８７に当接される当接面８６６が設定されている。なお、この閉塞部８６５は、右側に突き出されるように延在形状を有している。この閉塞部８６５の当接面８６６と反対側の外周部８６２には、受圧部８６７が設定されている。この受圧部８６７は、当接面８６６に閉塞部材８７が当接されていると、左側ハウジング２０１の内周面２０２に当接されて支持される。この左側ハウジング２０１の内周面２０２には、この受圧部８６７を押圧する押圧部２０３が設けられている。具体的には、押圧部２０３は、左側ハウジング２０１の内周面２０２から内に向けて盛り上げられるように形成されており、閉塞部８６５を介在部８６１よりも右側ハウジング２０５へ向けて積極的に押圧するように作用する。これによって、閉塞部８６５は、閉塞部材８７とともに、区画壁部７６によって区画されない配置部位７１０の下側の範囲を良好に閉塞する。
この閉塞部８６５には、コネクタ７１から引き出される４本のリード線Ｌを、コネクタ７１の配置部位７１０から引き出すための貫通孔８６８が設けられている。この貫通孔８６８は、４本のリード線Ｌに対応して４つ設けられている。この貫通孔８６８は、リード線Ｌの外径に比して小さい内径を有して形成されており、貫通孔８６８には隙間無くリード線Ｌが挿し通されている。
【００２２】
閉塞部材８７は、上記した介在部材８６の閉塞部８６５とともに、リード線Ｌを引き出すための開口部分を塞ぐように配置される。つまり、この閉塞部材８７は、介在部材８６の閉塞部８６５が閉塞した場合の、残りの開口された部分を埋めるように作用する。すなわち、この閉塞部材８７は、略矩形に形成されており、左側に隣接して配置される閉塞部８６５と当接する当接面８７１を有しつつ、この当接面８７１と反対側の外周部８７２には、受圧部８７３が設定されている。この受圧部８７３も、上記した閉塞部８６５の受圧部８７３と同様に、右側ハウジング２０５の内周面２０６に当接されて支持される。なお、この右側ハウジング２０５の内周面２０６にも、この受圧部８７３を押圧する押圧部２０７が設けられている。具体的には、押圧部２０７も、右側ハウジング２０５の内周面２０６から内に向けて盛り上げられるように形成されており、閉塞部材８７を左側ハウジング２０１へ向けて積極的に押圧するように作用する。これによって、閉塞部材８７は、上記した閉塞部８６５とともに、区画壁部７６によって区画されない配置部位７１０の下側の範囲を良好に閉塞する。この閉塞部材８７は、図２等に示すように、上側保持リブ８２と下側保持リブ８３とによって挟み込まれるようにして支持されている。つまり、閉塞部材８７は、左側ハウジング２０１と右側ハウジング２０５とによって、支持されるものとなっている。なお、この閉塞部材８７は、図６に示すように、コネクタ７１から引き出されるリード線Ｌの外周を覆うようになっている。また、このコネクタ７１の配置部位７１０は、上記した区画壁部７６と隔離部材８５とによる区画部７５により、閉塞空間をなすものとなっている。
【００２３】
このように構成された区画部７５によれば、グリップハウジング部２５の内部とコネクタ７１の配置部位７１０とを区画することができる。つまり、コネクタ７１の周囲のうち、リード線Ｌが引き出される下側以外の上側前側後側右側左側の５方向を、区画壁部７６を含むグリップハウジング部２５と介在部材８６とにより閉じた状態にすることができる。また、リード線Ｌが引き出される下側には、グリップハウジング部２５により支持される閉塞部材８７により閉じた状態にすることができる。これによって、リード線Ｌの中間部分に設けられるコネクタ７１に対しての水や粉塵の浸入を抑えることができる。したがって、このグリップハウジング部２５の内部に配設されるコネクタ７１に関しての防水防塵機能を高めることができる。なお、この配置部位７１０に配置されるコネクタ７１から引き出されるリード線Ｌの引出し方向は下側に設定されて、上側前側後側右側左側の５方向を区画壁部７６で囲っている。これによって、このインパクトドライバ１０を通常で使用する場合や通常で載置しておく場合には、重力方向で流れる水の浸入を防ぎ易くすることができる。また、上記した区画部７５は、グリップハウジング部２５をなす左側ハウジング２０１と右側ハウジング２０５との組付けによりなす構造となっている。これによって、上記したコネクタ７１を取り出すにあたっては、この左側ハウジング２０１と右側ハウジング２０５との組付けを外せば自動的に取り出せる。したがって、コネクタ７１を取り出す作業の簡単化を図ることができる。また、このように構成された区画部７５は、デッドスペースになり易いグリップハウジング部２５の内部に設定されているので、工具本体１００の嵩張りを抑えることができつつ、閉塞空間をなしたコネクタ７１の配置部位７１０を確保することができる。
【００２４】
［第２の実施の形態］
次に、上記した第１の実施の形態とは相違する第２の実施の形態について図７〜図１３を参照しながら説明する。なお、この第２の実施の形態も、上記した第１の実施の形態と同様のインパクトドライバ１０Ａにて構成されている。ただ、この第２の実施の形態のインパクトドライバ１０Ａにあっては、上記した第１の実施の形態のインパクトドライバ１０と比較して、配線構造７０の構成のみが相違するものとなっている。このため、この第２の実施の形態において、上記した第１の実施の形態と同一に構成される箇所については上記した符号と同一の符号を付して、その説明を省略するものとする。
図７〜図１３に示すインパクトドライバ１０Ａは、本発明に係る電動工具に相当する。図７〜図１３は、第２の実施の形態のインパクトドライバ１０Ａに関しての断面を示している。具体的には、図７の断面図は、インパクトドライバ１０Ａの右側半割断面を示している。図８の断面図は、図７のインパクトドライバ１０Ａの左側半割断面を示している。図９の断面図は、図８のコネクタ７１Ａを除いた区画壁構造を示している。図１０の断面図は、図８の(X)-(X)断面矢視を示している。図１１の断面図は、図８の(XI)-(XI)断面矢視を示している。図１２の断面図は、図８の(XII)-(XII)断面矢視を示している。図１３の断面図は、図８の(XIII)-(XIII)断面矢視を示している。
【００２５】
この第２の実施の形態の配線構造７０Ａは、上記した第１の実施の形態の配線構造７０と比較して、リード線Ｌの引き出し方向を一方向に纏めずに配線した例である。すなわち、第１の実施の形態の配線構造７０では、コネクタ７１の周囲となる前後上下左右の６方向のうちリード線Ｌをなす第１リード線７２１、第２リード線７２２の二つともは、下側に向けて引き出されるように設定されていた。これに対して、この第２の実施の形態の配線構造７０Ａでは、コネクタ７１Ａの周囲となる前後上下左右の６方向のうちリード線Ｌをなす第１リード線７２１Ａ、第２リード線７２２Ａのそれぞれは、互いに反対側の方向で引き出されるように設定されている。具体的には、コントローラ１５と接続される第１リード線７２１Ａは、下側に向けて引き出されるようになっており、駆動スイッチ６５に接続される第２リード線７２２Ａは、上側に向けて引き出されるようになっている。つまり、第１リード線７２１Ａおよび第２リード線７２２Ａのそれぞれは、それぞれのリード線Ｌが接続される方向に向けて引き出されるように設定されている。なお、コネクタ７１Ａは、上記した第１の実施の形態におけるコネクタ７１と略同一に構成されるものとなっており、樹脂製の雌コネクタ７３Ａと雄コネクタ７４Ａとを有して構成される。
ところで、この第２の実施の形態のコネクタ７１Ａのリード線Ｌは、上側と下側とに分けられて引き出されているので、この第２の実施の形態の区画部７５Ａは、このリード線Ｌの引出しに対応した構造が採られている。すなわち、区画部７５Ａをなす区画壁部７６Ａは、下側のみならず上側にも、リード線Ｌを引き出すことができるように開口された形状が設けられている。具体的には、区画壁部７６Ａを含むグリップハウジング部２５Ａは、コネクタ７１Ａの周囲となる前後上下左右の６方向のうち、下側と上側を除く前後左右の４方向においてグリップハウジング部２５Ａの内部を隔てるように作用している。
なお、この第２の実施の形態のコネクタ７１Ａは、コントローラ１５と駆動スイッチ６５を接続するようになっていたが、上記したコントローラ１５とモータ回路基板３９とを接続するように構成されるものであってもよい。具体的には、コネクタ７１Ａは、上記したモータ回路基板３９に接続されている図示省略の出力用リード線５本もしくは図示省略の給電用コード３本を介して、コントローラ１５とモータ回路基板３９とを接続するように構成されるものであってもよい。
【００２６】
この区画部７５Ａは、コネクタ７１Ａが配置される位置を中間位置として上下鏡面構造となるような略対称構造を有して形成されている。具体的には、区画壁部７６Ａは、グリップハウジング部２５Ａのうち右側ハウジング２０５に対して設けられている。この区画壁部７６Ａは、前側壁部７８Ａと後側壁部７９Ａとにより形成される。この前側壁部７８Ａおよび後側壁部７９Ａは、上記した第１の実施の形態と略同様に構成され、コネクタ７１Ａが配置される位置を中間位置として上下鏡面構造となるような略対称構造を有して形成されている。図１１等に示すように、前側壁部７８Ａと後側壁部７９Ａとにも、互いに向き合う方向で突き出されるリブ８０Ａが設けられている。このリブ８０Ａは、上から順に、上側保持リブ８３２、下側保持リブ８２２、コネクタ支持リブ８１、上側保持リブ８２１、下側保持リブ８３１として、設けられている。なお、これらのリブ８０Ａは、上記した第１の実施の形態と同様に機能し、次の隔離部材８５Ａの配置状態を保持するように作用する。
隔離部材８５Ａにあっても、コネクタ７１Ａが配置される位置を中間位置として上下鏡面構造となるような略対称構造を有して形成され、上記した第１の実施の形態の隔離部材８５のように機能する。すなわち、隔離部材８５Ａは、概略、主として区画壁部７６Ａと左側ハウジング２０１との間に生ずる間隙を埋めるように配置される介在部材８６Ａと、リード線Ｌを引き出すための開口部分を塞ぐように配置される第１閉塞部材８７Ａおよび第２閉塞部材８８Ａとの、３つの部材により構成される。なお、この実施の形態の介在部材８６Ａにあっても、区画壁部７６Ａと左側ハウジング２０１との間に生ずる隙間を埋める機能のほか、リード線Ｌを引き出すための開口部分を塞ぐ機能も有している。
【００２７】
介在部材８６Ａは、図１０に示すように、前後方向に沿って見た場合に逆コ字形をなしている。すなわち、介在部材８６Ａは、上記した第１の実施の形態の介在部材８６の上側にも閉塞部８６５´が設けられている。つまり、この第２の実施の形態の介在部材８６Ａは、略上下方向に延びる介在部８６１Ａと、この介在部８６１Ａの下部と上部で連接され略左右方向に延びる閉塞部８６５Ａ，８６５´とを有する。この介在部８６１Ａと閉塞部８６５Ａ，８６５´とは、軟質の弾性樹脂材料により一体成形されることにより一体部品にて形成される。介在部８６１Ａおよび下側閉塞部８６５Ａは、上記した第１の実施の形態における介在部８６１および閉塞部８６５と略同様に形成される。また、上側閉塞部８６５´にあっても、この下側閉塞部８６５Ａとは対称をなすように形成されている。このため、この下側閉塞部８６５Ａおよび上側閉塞部８６５´にあっても、上記した第１の実施の形態の閉塞部８６５と略同様に機能する。なお、この介在部材８６Ａおよび閉塞部材８７Ａ，８８Ａにおいて、上記した第１の実施の形態と略同様に機能する部分については、上記した第１の実施の形態にて説明した符号末尾に‘Ａ’を付加した符号を図面に付して、その説明を省略する。
なお、この第２の実施の形態における介在部材８６Ａの閉塞部８６５´と上側閉塞部材８８Ａとは、押圧される押圧部２０３，２０７のように作用する構造が設けられていない。また、下側閉塞部８６５Ａにはコネクタ７１Ａから第１リード線７２１の２本しか貫通されておらず、これと同様に上側閉塞部８６５´にもコネクタ７１Ａから第１リード線７２２の２本しか貫通されていない。
【００２８】
このように構成された第２の実施の形態の区画部７５Ａによれば、上記した第１の実施の形態の区画部７５と略同様の作用効果を奏することができる。すなわち、区画部７５Ａによれば、グリップハウジング部２５Ａの内部とコネクタ７１Ａの配置部位７１０Ａとを区画することができ、リード線Ｌが引き出される下側上側以外の前側後側右側左側の４方向を、区画壁部７６Ａを含むグリップハウジング部２５Ａと介在部材８６Ａとにより閉じた状態にすることができる。また、リード線Ｌが引き出される下側上側には、グリップハウジング部２５Ａにより支持される閉塞部材８７Ａにより閉じた状態にすることができる。これによって、リード線Ｌの中間部分に設けられるコネクタ７１Ａに対しての水や粉塵の浸入を抑えることができる。したがって、このグリップハウジング部２５Ａの内部に配設されるコネクタ７１Ａに関しての防水防塵機能を高めることができる。なお、この配置部位７１０Ａに配置されるコネクタ７１Ａから引き出されるリード線Ｌの引出し方向は、接続されるコントローラ１５および電動モータ３２の配置方向に一致しているので、配線されるリード線Ｌの長さを短くすることができる。これによって、工具本体１００の内部の配線を簡単化することができる。
【００２９】
なお、本発明に係る電動工具および電動工具にあっては、上記した実施の形態のインパクトドライバ１０の構成に限定されるものではなく、電動モータを駆動源にして構成される適宜の電動工具に応用することができる。例えば、本発明に係る電動工具としては、ドライバドリルや、アングルドリルや、シャーや、レシプロソー等で構成されるものであってもよい。また、本発明に係る電線中間電気構造としては、上記した実施の形態のコネクタ７１に限定されることなく、適宜の電気部材や電気構造にて構成されるものであってもよい。また、本発明に係る電線の引出し方向にあっては、上記したリード線Ｌの引出し方向に限定されることなく、上下前後左右のいずれ方向であってもよい。ただ、グリップハウジング部２５が左右方向で組み付けられる構造となっているので、この組み付けられる方向とは交差する方向であるほうが配線をする上で簡単である。また、本発明係る区画部としては、必ずしも工具の外装をなすハウジングと一体に設けられるものでなくてもよく、このハウジングと別体に設けられるものであってもよい。また、ハウジングの分割態様としては、上記した半割り構造に限定されることなく、適宜の割れ態様にて構成されるものであってよい。また、本発明に係る区画壁部としては、上記した実施の形態のようなハウジングの片側だけに区画壁部が設けられる構成に限定されることなく、ハウジングの両側に区画壁部が設けられる構成となっていてもよい。また、区画壁部の構成としては、上記した実施の形態に限定されることなく、本発明に係る配置部位を僅かでも囲う構成を有していればよいものであり、囲う範囲の大きさについて限定されるものではない。
また、本発明に係るシール部材にあっても、上記した実施の形態に限定されることなく、適宜に成形される別体部品に構成されるものであってもよい。例えば、本発明に係るシール部材としては、僅かな粘着性でも有した部材であればよい。具体的には、例えばボンド等の適宜の粘着性を有する接着剤等の樹脂にて置き換えられるものであってもよい。また、本発明に係る弾性部材にあっても、上記した実施の形態に限定されることなく、適宜に成形される別体部品に構成されるものであってもよい。例えば、本発明に係る弾性部材としては、僅かな弾性でも有した部材であればよく、適宜のスポンジ等の弾性を有した発泡成形樹脂や適宜の弾性を有した天然ゴム等に、置き換えられるものであってもよい。また、このようなシール部材や弾性部材にあっては、電線の外周を覆うように設けられていればよいものであり、単純な巻き付け等によるものであってもよい。また、この防水防塵機能を高めるにあたっては、通常の被覆部材としての緩衝機能を有した機能を兼ねるものであってもよい。また、上記した電線中間電気構造としては、例えば、コンデンサ、ヒューズ、ダイオード、チョークコイル、適宜センサからの信号線あるいは電源線等、適宜の電気構造であってよい。
【符号の説明】
【００３０】
１０  インパクトドライバ（電動工具）
１００  工具本体
１５  コントローラ
１７  通信用のターミナル
２０  外装ハウジング
２０１  左側ハウジング（第１分割ハウジング）
２０２  内周面
２０３  押圧部
２０５  右側ハウジング（第２分割ハウジング）
２０６  内周面
２０７  押圧部
２１  モータハウジング部
２５  グリップハウジング部
２６  被覆グリップ
２８，２９  螺子留め部
３０  駆動出力部
３１  電動モータ部
３２  電動モータ（モータ）
３３  固定子
３４  回転子
３５  モータ軸
３６  冷却ファン
３６１  前側ベアリング
３６２  後側ベアリング
３７  前側カバー
３８  後側キャップ
３９  モータ回路基板
４１  駆動変換機構
４２  ギヤケース
４２１  前側ギヤケース
４２２  ベアリングボックス
４３  減速機構
４４  太陽歯車
４５  遊星歯車列
４６  インターナルギヤ
５１  打撃機構
５２  中間軸
５３  付勢スプリング
５４  ハンマ
５５  打撃片
５６  ニードルベアリング
５７  アンビル
５８  照射装置
５９  ベアリング
６０  グリップ部
６５  駆動スイッチ
６６  スイッチ本体
６７  操作トリガ
６８  回転方向切替ボタン
７０  配線構造
７１  コネクタ（電線中間電気構造）
７１０  コネクタの配置部位（配置部位）
７２１  第１リード線（第一の電線）
７２２  第２リード線（第二の電線）
７３  雌コネクタ
７３１  雌嵌合部
７３２  雌フック部
７４  雄コネクタ
７４１  雄嵌合部
７４２  雄フック部
７５  区画部（浸入規制部材）
７６  区画壁部
７７  上側壁部
７８  前側壁部
７９  後側壁部
７７１，７８１，７９１  左側端
８０  リブ
８１  コネクタ支持リブ
８２  上側保持リブ
８３  下側保持リブ
８５  隔離部材（シール部材、弾性部材）
８６  介在部材
８６１  介在部
８６２  外周部
８６３  内周部
８６５  閉塞部
８６６  当接面
８６７  受圧部
８６８  貫通孔
８７  閉塞部材
８７１  当接面
８７２  外周部
８７３  受圧部
９０  バッテリ装着部
９１  装着部
９５  充電式バッテリ
９９  引掛け具
Ｂ  ドライバビット（加工具）
Ｌ  リード線（電線）
【図１】
2015036167.tif 000003
【図２】
2015036167.tif 000004
【図３】
2015036167.tif 000005
【図４】
2015036167.tif 000006
【図５】
2015036167.tif 000007
【図６】
2015036167.tif 000008
【図７】
2015036167.tif 000009
【図８】
2015036167.tif 000010
【図９】
2015036167.tif 000011
【図１０】
2015036167.tif 000012
【図１１】
2015036167.tif 000013
【図１２】
2015036167.tif 000014
【図１３】
2015036167.tif 000015